(57)【特許請求の範囲】
【請求項１】
ガス分析装置を用いて皮膚ガス成分を定量し、
定量されたノナナールの量で、定量された前記皮膚ガス成分の量を規格化することを特徴とする皮膚ガス成分の量を規格化する方法。
【請求項２】
請求項１に記載の方法において、皮膚ガス成分がノネナールであることを特徴とする皮膚ガス成分の量を規格化する方法。
【請求項３】
請求項１または２記載の方法において、ガス分析装置がＧＣ／ＭＳであることを特徴とする皮膚ガス成分の量を規格化する方法。
【請求項４】
ガス分析装置を用いて皮膚ガス成分を定量し、
ノナナールで規格化することを特徴とする対象物の変化を比較するための皮膚ガス発生量の評価方法。
【請求項５】
請求項４記載の評価方法において、ガス分析装置がＧＣ／ＭＳであることを特徴とする皮膚ガス発生量の評価方法。
【発明の詳細な説明】
【技術分野】
【０００１】
本発明は皮膚ガス成分の量を規格化する方法に関し、特に任意の皮膚ガス成分の変化を高精度に評価することのできる皮膚ガス成分の量を規格化する方法に関する。
【背景技術】
【０００２】
人の体臭には皮膚表面で皮脂が酸化するなどで発生するものと、体内由来（血中、細胞由来）で皮膚を通って放出されてくる炭化水素、アルコールなどのさまざまなガスが混ざっている。皮膚を通って放出されるこれらのガスは皮膚ガスと呼ばれ、食事、体調、心理的な要因に左右され、体内の状態を表していると言われている。
【０００３】
近年、皮膚ガスに含まれる成分の種類や濃度を観測することにより、健康状態など、人の体内の状態を診断するために、皮膚ガス中の成分について調査研究が行われている。例えば、糖尿病患者の皮膚表面からアセトンが放出されていることが知られている（非特許文献１）。
好ましくないとされている臭いも存在する。例えば、中年以降の人に特有の臭い、いわゆる加齢臭は、ノネナールが主成分であることが知られている。
【０００４】
そこで、好ましくない臭いの皮膚ガスを抑制する製剤の開発が進められている。例えば、食用担子菌類の有機酸含有親水性溶媒抽出物を有効成分として含有する加齢臭抑制用組成物が知られている（特許文献１）。このような製剤を開発する際には、製剤投与前後の皮膚ガスを採取し、皮膚ガス成分の変化を分析することが行われている。
しかし、皮膚ガスは、外気温湿度に大きく影響されることなどから、定量比較がしづらく、このような製剤の開発は困難であった。
【先行技術文献】
【特許文献】
【０００５】
【特許文献１】特開２０１０−１４３８７８号公報
【非特許文献】
【０００６】
【非特許文献１】Clinica  Chemica  Acta,  p.325-329  (2006)
【発明の概要】
【発明が解決しようとする課題】
【０００７】
本発明は前記従来技術に鑑み行われたものであり、その解決すべき課題は、任意の皮膚ガス成分を容易に定量比較でき、その変化を高精度に評価することのできる方法を提供することにある。
【課題を解決するための手段】
【０００８】
本発明者らが前述の課題を解決すべく鋭意研究を行った結果、GC/MSなどのガス分析装置により定量されたノナナールの量で、定量された前記皮膚ガス成分の量を規格化することで、的確に定量比較ができることを見出し、本発明を完成するに至った。
すなわち、本発明にかかる皮膚ガス成分の量を規格化する方法は、ガス分析機器を用いて皮膚ガス成分を定量し、
定量されたノナナールの量で、定量された前記皮膚ガス成分の量を規格化することを特徴とする。
前記方法において、皮膚ガス成分がノネナールであることが好適である。
前記方法において、ガス分析装置がＧＣ／ＭＳであることが好適である。
【０００９】
本発明にかかる対象物の変化を比較するための皮膚ガス発生量の評価方法は、ガス測定分析機器を用いて皮膚ガス成分を定量し、
ノナナールで規格化することを特徴とする。
前記評価方法において、ガス分析装置がＧＣ／ＭＳであることが好適である。
本発明にかかる対象物の変化を比較するための皮膚ガス発生量の評価方法は、同一人物の皮膚ガス成分の評価方法であることが好適である。
【発明の効果】
【００１０】
本発明によれば、任意の皮膚ガス成分の変化を高精度に評価することのできる皮膚ガス成分の量を規格化する方法を提供することができる。
【図面の簡単な説明】
【００１１】
【図１】還元型コエンザイムＱ１０を４週間連用投与前後（アクティブ）、プラセボを４週間連用投与前後（プラセボ）の皮膚ガス中のノネナール量の結果を示す図である。
【図２】皮膚ガス中の（Ａ）リモネン量、（Ｂ）ノナナール量の個人差を示す図である。
【図３】４名の男性パネルの皮膚ガス中の（Ａ）リモネン量、（Ｂ）ノナナール量の日間変動を示す図である。
【図４】６名の女性パネルの皮膚ガス中の（Ａ）リモネン量、（Ｂ）ノナナール量の日間変動を示す図である。
【図５】還元型コエンザイムＱ１０を４週間連用投与前後（アクティブ）、プラセボを４週間連用投与前後（プラセボ）の皮膚ガス中のノネナール量をノナナール量で規格化した結果を示す図である。
【発明を実施するための形態】
【００１２】
本発明にかかる皮膚ガス成分の量を規格化する方法は、GC/MSなどのガス分析装置を用いて皮膚ガス成分を定量し、定量されたノナナールの量で、定量された前記皮膚ガス成分の量を規格化することを特徴とする。
【００１３】
皮膚ガス成分の採取方法としては、公知の方法を用いることができる。
例えば、皮膚ガス採取装置（非吸着かつ非透過性のガスバリア素材の袋など）を手首から先（手および手首）に装着し、クリーンガス（Ｎ２）を充填し、３０分程度放置後に採取する方法、無臭のＴシャツを３日程度着用後に採取する方法などが挙げられる。
前者では、汗腺由来の成分、すなわち血中成分を主に反映するのに対し、後者では、汗と皮脂由来成分が混在する。
本発明にかかる方法では、皮膚ガス採取装置を手首から先に装着し、クリーンガス（Ｎ２）を充填し、３０分程度放置後に採取する方法を用いることが好ましい。
また、皮膚ガスの採取は、恒温恒湿室で行うことが好ましい。
【００１４】
皮膚ガス成分を定量する手段としては、公知のガス分析装置を用いることができるが、ＧＣ／ＭＳ、すなわちガスクロマトグラフ−質量分析計を用いることが好ましい。
【００１５】
例えば、ＧＣ／ＭＳによりガスクロマトグラムを測定後、目的とする皮膚ガス成分のピーク面積から、定量を行う。
そして、皮膚ガス成分中のノナナールの量で目的とする皮膚ガス成分の量を規格化する（すなわち、ノナナールの量で除される）ことで、外気温湿度などの影響による分析値のバラツキを受けることなく、任意の皮膚ガス成分を高精度で定量することができる。
【００１６】
また、本発明にかかる対象物の変化を比較するための皮膚ガス発生量の評価方法は、GC/MSなどのガス分析装置を用いて皮膚ガス成分を定量し、
ノナナールで規格化することを特徴とする。
また、本発明にかかる対象物の変化を比較するための皮膚ガス発生量の評価方法は、同一人物の皮膚ガス成分の評価方法であることが好適である。
皮膚ガス成分は、同一人物であっても、外気温湿度や心身の状態等の影響により、激しく変動し、対象物の定量比較を行うことは困難であった。しかし、本発明の評価方法を用いることにより、外気温湿度や心身の状態等の影響されずに、容易に対象物の定量比較を行うことが可能である。
【実施例】
【００１７】
＜試験例１＞
６５歳から７４歳の女性パネル２０名に手を石鹸で洗ってもらった後、皮膚ガス採取装置（非吸着かつ非透過性のガスバリア素材の袋）を手首から先（手および手首）に装着し、クリーンガス（Ｎ２）を充填し、２０分放置後に皮膚ガスを採取した。そして、ガス分析装置（ＧＣ／ＭＳ）を用いて、採取した皮膚ガスのガスクロマトグラムを測定した。還元型コエンザイムＱ１０（ソフトカプセル、１００ｍｇ／日）またはプラセボを４週間（毎日）連用投与後、同様に皮膚ガスを採取し、ガスクロマトグラムを測定した。なお、１０名のパネルには、プラセボ連用投与試験の後に還元型コエンザイムＱ１０連用投与試験を行ってもらい、もう１０名のパネルには、還元型コエンザイムＱ１０連用投与試験の後にプラセボ連用投与試験を行ってもらった。
なお、ＧＣ／ＭＳは、5977 GC/MSシステム（Agilent社製）を用いた。
【００１８】
ガスクロマトグラムより、４週間連用投与前のパネルから、ノネナールが検出されたことがわかった。ノネナールは、加齢臭の主成分であると言われている。これまでノネナールは、皮膚表面にある皮脂の酸化によって発生していると考えられていたが、体内から検出されることがわかった。
【００１９】
図１に、ガスクロマトグラムのピーク面積より定量した還元型コエンザイムＱ１０；プラセボ４週間連用投与前後におけるノネナール量（それぞれアクティブ；プラセボ）の変化を示す。
図１より、還元型コエンザイムＱ１０を連用投与することにより、皮膚ガス中のノネナールの有意な減少が認められた。
しかしながら、本試験は冬に行われたものであり、部屋の温度が低くなった影響で、全体としての皮膚ガス成分が少ないため、還元型コエンザイムＱ１０の連用によるノネナール抑制効果は少ないようにも見える。
【００２０】
＜試験例２＞
そこで本発明者らは、２０代〜６０代までの男女複数のパネルについて、試験例１と同様に皮膚ガス成分の採取およびＧＣ／ＭＳを用いた測定を行い、いくつかの他の皮膚ガス成分の定量結果を検討した。
【００２１】
その結果、皮膚ガス成分の中には、検出される人と検出されない人がいる成分が存在することがわかった（例えばオクタナール）。しかし、皮膚ガス成分のうち、リモネンおよびノナナールは、全ての人から検出された。ここで、リモネンは、柑橘（レモン）様の臭い成分であって、ノナナールは、花や果実様の臭い成分である。
図２に、被験者の年代および男女別にリモネンとノナナールを定量した結果を示す（（Ａ）リモネン、（Ｂ）ノナナール）。
【００２２】
図２より、リモネンより、ノナナールの方が、個人による皮膚ガス量の差が小さいことが明らかになった。
【００２３】
＜試験例３＞
次に、２０代〜５０代の男性４名（各年代１名ずつ）と、２０代〜４０代の女性６名（各年代２名ずつ）に、２〜７日間、皮膚ガス成分の採取およびＧＣ／ＭＳを用いた測定を行い、リモネンとノナナールの定量結果を検証した。
なお、皮膚ガス成分は、２８℃、５０％にコントロールされた部屋で３０分安静の後、皮膚ガス採取装置に片手あたり１８０ｍＬ窒素を充填し、１５分後に１５０ｍＬ採取した。
男性、女性の結果を、それぞれ図３、図４に示す（（Ａ）リモネン、（Ｂ）ノナナール）。
【００２４】
図３および図４によると、リモネンより、ノナナールの方が、個人による皮膚ガス量の差が小さいことが再確認できた。
また、同一個人内での日間変動も、ノナナールの方が小さいことが明らかになった。
したがって、皮膚ガス成分中のノナナールの量は、個人固有の値であって、同じ採取条件であれば、個人内で安定な皮膚ガス成分であることがわかった。
【００２５】
そこで、本発明者らは、ノナナールの量で、目的とする皮膚ガス成分の量を規格化できるのではないかという仮定の下、試験例１で測定したガスクロマトグラムについて再検討した。
プラセボおよび還元型コエンザイムＱ１０の投与前後におけるノネナール、ノナナールの定量結果、ノネナール量／ノナナール量および標準偏差を算出した結果を、それぞれ表１および表２に示す。また、４週間連用投与前後の差を示した結果を表５に示す。
また、投与前後における定量されたノネナールの量を、ノナナールの量で規格化した（ノナナールの量で除された）結果を図５に示す。なお、図５の投与後の結果は、投与前の平均値を１として算出した場合の平均値を示してある。
【００２６】
【表１】
0006580955.tif 000002
【００２７】
【表２】
0006580955.tif 000003
【００２８】
【表３】
0006580955.tif 000004
【００２９】
表３より、ノネナールをノナナールで規格化しない場合、データのバラツキが大きい一方で、ノネナールをノナナールで規格化すると、標準偏差が小さくなることがわかった。
したがって、本発明にかかる皮膚ガス成分の量を規格化する方法は、GC/MSなどのガス分析装置を用いて皮膚ガス成分を定量し、定量されたノナナールの量で、定量された前記皮膚ガス成分の量を規格化することを特徴とする。本方法を用いることにより、皮膚ガス成分を高精度に評価することができる。
【００３０】
また、図５より、ノネナールをノナナールで規格化すると、還元型コエンザイムＱ１０を連用した場合のみノネナールを有意に減少することをわかった。
これまで、皮膚ガス成分の抑制効果を、官能評価以外で示すことは困難であったが、本発明にかかる皮膚ガス成分の量を規格化する方法を用いることで、測定値として示すことができる。また、本発明にかかる皮膚ガス成分の量を規格化する方法によれば、任意の皮膚ガス成分の変化を高精度に評価することができる。
【図１】
0006580955.tif 000005
【図２】
0006580955.tif 000006
【図３】
0006580955.tif 000007
【図４】
0006580955.tif 000008
【図５】
0006580955.tif 000009